(57)【要約】【課題】開口枠への着脱作業が容易で、突起物が少ない着脱パネルの提供。【解決手段】ロッド棒受１８を有する上枠１４、ガイド用凹部７を有する第１の縦枠１５、第２の縦枠１６、ロッド棒受１８を設けた床からなる開口と、１枚以上の第１パネル１と１枚の第２パネル２から構成し、第１パネル１には一側面に第１の縦枠１５のガイド用凹部７に挿入される凸部３と反対側には凸部３に対向するガイド用凹部７とフランス落し４を設け、第２パネル２には一側面に第１パネル１のガイド用凹部７に挿入される凸部３と反対側正面にフランス落し４と取手６を設ける。【選択図】        図１
2004346543.tif 000002
【特許請求の範囲】
【請求項１】
開口部の縁に上枠、及び第１、第２の縦枠からなる開口枠と、該開口枠に押圧固定される複数のパネルにおいて、第１の縦枠の２箇所にガイド用凹部を設けるとともに上枠と床にフランス落しの受部を設け、１枚以上の第１パネルの一側面上下には前記ガイド用凹部に対応する凸部を設けるとともに対向する側面上下にはガイド用凹部を設け、かつ上のガイド用凹部よりも下に上のフランス落しを設けるとともに下のガイド用凹部よりも上に下のフランス落しを設け、第２パネルは第２の縦枠に並設し、該第２の縦枠側の正面に取手を設け、かつ正面上下にフランス落しを設け、反対側の側面に第１パネルのガイド用凹部に対応する凸部を設けたことを特徴とする着脱パネル構造。
【発明の詳細な説明】
【０００１】
【発明の属する技術分野】
本願発明は、クリーンルームなどで、通常のドアでは不可能な大型機械や設備を搬入出する時に使用されるための使用頻度の少ない着脱パネルに関するものである。着脱パネルは通常のドアに比べて開閉の作業性で劣るが，使用頻度が少ないことや、大型のドアを設備するよりも安価であるため、よく利用されている。
【０００２】
【従来の技術】
一般に着脱パネルは図１４に示す如く、開口にカムラッチの受けｅが配設さた上枠ｆ、縦枠ｇ及びｈからなる開口枠ａを設け、該開口枠ａに２枚の第１パネルｂと１枚の第２パネルｃを嵌め込み、パネルに設けられたカムラッチｄをカムラッチ受けｅに掛けて開口枠ａに押圧固定したものがある。なお第１パネルｂは開口幅に併せて適宜枚数を追加することができる。
【０００３】
また、小扉を有する開き戸において、該小扉は開口枠に設けた凹部に抜差し可能な凸部を側面に設け、かつ反対側面の上下にフランス落しを設け開口枠から着脱自在にできるものがある（例えば、特許文献１参照。）。
【０００４】
【特許文献１】
特開平０８−０８６１５２号公報
【０００５】
【発明が解決しようとする課題】
解決しようとする課題は、クリーンルームにおいて大きな開口を必要とする場合に容易に着脱可能であるとともに、塵埃が付着しにくいように突起物が少なくかつ意匠的にも優れたパネルを提供することである。
【０００６】
一般の着脱パネルにおいてはカムラッチ掛け作業を１枚のパネルで少なくとも３箇所あるとともに、開口が高いときにはパネル上方のカムラッチ掛け作業に踏み台などを必要とする。また、カムラッチが壁面及びパネル面から突出しており、クリーンルーム内の塵埃が付着し易く、かつ意匠的にも清々としない。
【０００７】
また、特許文献１においては、小扉１枚の取外しと、開き戸の開放のみでは大型機械などの搬入出時には対応できないことがある。
【０００８】
【課題を解決するための手段】
本願発明の着脱パネル構造は、開口部の縁に上枠、及び第１、第２の縦枠からなる開口枠と、該開口枠に押圧固定される複数のパネルにおいて、第１の縦枠の２箇所にガイド用凹部を設けるとともに上枠と床にフランス落しの受部を設け、１枚以上の第１パネルの一側面上下には前記ガイド用凹部に対応する凸部を設けるとともに対向する側面上下にはガイド用凹部を設け、かつ上のガイド用凹部よりも下に上のフランス落しを設けるとともに下のガイド用凹部よりも上に下のフランス落しを設け、第２パネルは第２の縦枠に並設し、該第２の縦枠側の正面に取手を設け、かつ正面上下にフランス落しを設け、反対側の側面に第１パネルのガイド用凹部に対応する凸部を設けたことを特徴とする。
【０００９】
【発明の実施の形態】
本願発明の着脱パネル構造の実施の形態について図を参照しつつ、以下に説明する。
【００１０】
【実施例】
図１は全体の外観正面図、図２は第１パネルの５面図、図３は第１パネルの背面図、図４は第２パネルの５面図、図５は第２パネルの背面図、図６は図１の６−６線断面図、図７は図１の７−７断面図、図８はその他の実施の形態にかかる全体の外観正面図、図９はその他の実施の形態に係る第１パネルの５面図、図１０は、その他の実施の形態に係る第１パネルの背面図、図１１はその他の実施の形態に係る第２パネルの５面図、図１２はその他の実施の形態に係る第２パネルの背面図、図１３は図８の１３−１３断面図、図１４は従来の着脱パネルの全体外観斜視図を示す。
【００１１】
着脱パネルを配設する開口には図１に示す如く、上枠１４、第１の縦枠１５、第２の縦枠１６からなる開口枠１３を配設固定している。上枠１４にはロッド棒受１８を設けてあり、第１の縦枠１５にはガイド用凹部７を設けてある。また床面にもロッド棒受１８を設けている。これら開口枠に、後述する第１パネル１及び第２パネル２を嵌め込み固定する。
【００１２】
以下に第１パネル１について、図１に併せ図２及び図３を参照して説明する。
図２のＡは第１パネル１の正面図、Ｂは右側面図、Ｃは左側面図、Ｄは平面図、Ｅは底面図を示している。
【００１３】
第１パネル１には左側面の上下に凸部３を設け、右側面の上下に凸部３に対向する位置にガイド用凹部７を設けている。また、上のガイド用凹部７よりも下に上のフランス落し４を設け、かつ下のガイド用凹部７よりも上に下のフランス落し４を設けている。フランス落し４のロッド棒５は上面及び底面に穿設されている孔に移動自在に配置されている。さらに、底面にはスペーサー１１を設け床面との直接接触によるパネルの破損を防止することができる。さらにまた、正面下端にはパッキン１２を設け床との間から僅かに漏れる光を防ぐことができる。さらに、右側面の背面側にはパッキン１０を嵌めた召し合わせ枠８を設ける。
【００１４】
第２パネル２には左側面の上下に凸部３を設け、右側正面の上下にフランス落し４を設けている。フランス落し４のロッド棒５は第１パネル１と同様に第２パネル２の上面及び底面に穿設した孔に移動自在で、着脱時にはパネル内部に収納され、固定時にはパネルから突出するように配設されている。また、第２パネル２を引出したり、押込むための取手６が設けられている。さらに、第１パネル１と同様に底面にはスペーサー１１を設けるとともに正面下端にはパッキン１２を設けている。
【００１５】
図６及び図７を参照して開口枠１３へのパネルの配設について説明する。
図６に示すように、第１の縦枠１５のガイド用凹部７に第１パネル１の凸部３を挿入して、ロッド棒５を上枠１４及び床のロッド棒受１８に位置を合わせたあと側面上下のフランス落し４を操作してロッド棒５を突出させて各ロッド棒受１８に挿入し第１パネル１を固定する。このときガイド用凹部７及びロッド棒受１８は第１パネル１が上枠１４のパッキン１０及び第１の縦枠１５のパッキン１０に押圧されるように配設されている。
【００１６】
次にもう１枚の第１パネル１を、先に嵌めた第１パネル１のガイド用凹部７に凸部３を挿入しながら突き合わせロッド棒５を上枠１４及び床のロッド棒受１８に位置を合わせたあと上下のフランス落し４を操作し、ロッド棒５を突出させて各ロッド棒受１８に挿入し第１パネル１を固定する。このとき、上枠１４のパッキン１０及び召し合わせ枠８の溝部９に嵌めたパッキン１０に押圧される。
【００１７】
最後に第２パネル２の凸部３を第１パネル１のガイド用凹部７に差し込みロッド棒５を上枠１４及び床のロッド棒受１８に位置を合わせたあと正面から上下のフランス落し４を操作してロッド棒５を突出させ、各ロッド棒受１８に挿入し第２パネル２を固定する。なお、全パネルにおいて上方のフランス落し４の高さは使用する人が直立して手の届く高さｈを上限とし、開口高さにあわせてロッド棒５の長さを変化させる。
【００１８】
外す場合には、前述した逆の作業手順となるが、最初に外す第２パネル２は取手６を持って引出すことができる。なお、取手６はグリップ部が変形可能で通常は平板状をしており、使用する際にアーチ状に変形させることができるので使用しないときには突出量を少なくすることができる。
【００１９】
本願実施の形態においては、着脱パネルは上述した２枚の第１パネル１と１枚の第２パネル２で構成されるものであるが、開口の幅に応じて第１パネル１を追加することもできる。
【００２０】
また、図８に示すように、壁面に設けられた開口に上枠１４、第１の縦枠１５、第２の縦枠１６に下枠１７を追加して４辺からなる開口枠１３を構成し、前述した第１パネル１及び第２パネル２からパッキン１２を除いた図９乃び図１０に示す第１パネル１と、図１１乃び図１２に示す第２パネル２を、図１３に示すように開口枠１３の各枠に設けられているパッキン１０に押圧固定して、密閉性能に優れた着脱パネルを構成することもできる。
【００２１】
【発明の効果】
各パネルを配設する場合に凸部をガイド用凹部に挿入し所定位置で反対側の上下にあるフランス落しを操作固定するとともに、上方のフランス落し４の高さは使用する人が直立して手の届く高さｈを上限としたので、容易に着脱作業をすることができる。
【００２２】
また大きな開口である場合でも踏み台等を使用せずに容易に着脱することができる。
【００２３】
さらに、正面への突起物が殆ど無いので、塵埃が付着しにくくクリーンルームでの使用において良好であり、かつ意匠的にも優れたパネルを提供することができる。
【図面の簡単な説明】
【図１】全体の外観正面図
【図２】第１パネルの５面図
【図３】第１パネルの背面図
【図４】第２パネルの５面図
【図５】第２パネルの背面図
【図６】図１の６−６線断面図
【図７】図１の７−７断面図
【図８】その他の実施の形態にかかる全体の外観正面図
【図９】その他の実施の形態に係る第１パネルの５面図
【図１０】その他の実施の形態に係る第１パネルの背面図
【図１１】その他の実施の形態に係る第２パネルの５面図
【図１２】その他の実施の形態に係る第２パネルの背面図
【図１３】図８の１３−１３断面図
【図１４】従来の着脱パネルの全体外観斜視図
【符号の説明】
１    第１パネル
２    第２パネル
３    凸部
４    フランス落し
５    ロッド棒
６    取手
７    ガイド用凹部
８    召し合わせ枠
９    溝部
１０  パッキン
１１  スペーサー
１２  パッキン
１３  開口枠
１４  上枠
１５  第１の縦枠
１６  第２の縦枠
１７  下枠
１８  ロッド棒受
【図１】
2004346543.tif 000003
【図２】
2004346543.tif 000004
【図３】
2004346543.tif 000005
【図４】
2004346543.tif 000006
【図５】
2004346543.tif 000007
【図６】
2004346543.tif 000008
【図７】
2004346543.tif 000009
【図８】
2004346543.tif 000010
【図９】
2004346543.tif 000011
【図１０】
2004346543.tif 000012
【図１１】
2004346543.tif 000013
【図１２】
2004346543.tif 000014
【図１３】
2004346543.tif 000015
【図１４】
2004346543.tif 000016